【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
操作者が横向きに立っている状態で足を入れる一対のストラップを備えているボードと、ボードに立設されている操作ポールと、ボードの後方下部において下側後方に延びるフィン状のスケグテール部と、スケグテール部の最下部にシャフトを介して接続された推進板とを備え、操作者のピッチングする動作により推進力を得る人力推進ボートであって、
前記操作ポールは、進行方向に固定され、横方向に傾動可能にボードに取り付けられ、その上端に持ち手が取り付けられており、
前記ボードが操作者側にローリングしたときに、前記操作ポールが横方向に傾動することで、操作者の身体が前記操作ポールに押されて落ちないようにする、ことを特徴とする人力推進ボート。
【請求項２】
操作ポールを進行方向に固定し、横方向に可動となるように取り付ける取付治具を備え、前記取付治具は、操作ポールから外している状態では、操作ポールがボードの進行方向に直交する方向に傾動可能であり、操作ポールに取り付けられている状態では、ボードの進行方向に直交する方向の操作ポールの傾動を阻止するホルダを有する請求項１に記載の人力推進ボート。
【請求項３】
ボードは、自身が浮力を有し、前後が上反り状に傾斜もしくは湾曲するように形成されている請求項１又は２に記載の人力推進ボート。
【請求項４】
一対のストラップは、ボードの進行方向に沿うように所定の間隔を開けて配置され、且つボードの進行方向に沿う方向に移動可能である請求項１に記載の人力推進ボート。
【請求項５】
操作者は、ボード上において、左右の足がボードの進行方向に沿うように横向きに立ち、ボード上の一対のストラップに足を入れて操作ポールの前後の持ち手を両手で掴み、操作者のピッチングする動作を介して、ボードが推進する請求項１に記載の人力推進ボート。
【請求項６】
操作者のピッチングする動作は、操作者が、ボードの前側の持ち手を押し下げながら後側の持ち手を引き上げる動作と、前側の足に体重をかけながら後側の足を引き上げる動作を同時に行い、ボードの前側の押し下げとボードの後側の引き上げ行為と、ボードの後側の持ち手を押し下げながら前側の持ち手を引き上げる動作と、後側の足に体重をかけながら前側の足を引き上げる動作を同時に行い、ボードの後側の押し下げとボードの前側の引き上げ行為を、交互に連続して行うものである請求項５に記載の人力推進ボート。
【請求項７】
操作者のピッチングする動作により、ボードに接続されたスケグテール部を介して水平に接続されたシャフトが上下に撓ると同時に、その先の推進板が翼のはばたき運動のように上下に揺れ動いてボードが推進する請求項５又は６に記載の人力推進ボート。
【請求項８】
ボード下面側の推進板は、平面視で幅の広い略三日月状に形成されている請求項１又は７に記載の人力推進ボート。
【請求項９】
ボードは、連結器具を介して、縦連結もしくは横連結を可能にしている請求項１乃至８のいずれか１項に記載の人力推進ボート。
【手続補正２】
【補正対象書類名】明細書
【補正対象項目名】００１３
【補正方法】変更
【補正の内容】
【００１３】
本発明に係る請求項１の発明は、操作者が横向きに立っている状態で足を入れる一対のストラップを備えているボードと、ボードに立設されている操作ポールと、ボードの後方下部において下側後方に延びるフィン状のスケグテール部と、スケグテール部の最下部にシャフトを介して接続された推進板とを備え、操作者のピッチングする動作により推進力を得る人力推進ボートであって、前記操作ポールは、進行方向に固定され、横方向に傾動可能にボードに取り付けられ、その上端に持ち手が取り付けられており、前記ボードが操作者側にローリングしたときに、前記操作ポールが横方向に傾動することで、操作者の身体が前記操作ポールに押されて落ちないようにすることで、上述した課題を解決した。
【手続補正３】
【補正対象書類名】明細書
【補正対象項目名】００１４
【補正方法】変更
【補正の内容】
【００１４】
この請求項１に係る人力推進ボートによれば、操作者は、ボード上において、左右の足がボードの進行方向に沿うように横向きに立ち、ボード上の一対のストラップに足を入れて操作ポールの前後の持ち手を両手で掴み、操作者のピッチングする動作を介して、ボードを推進させることができる。また、操作ポールを進行方向に対して横方向に傾動可能に取り付けているので、ボード（艇体）がローリングしたとき、操作ポールが傾動することで、操作者の身体が操作ポールに押されてボートから落ちないようにすることができる。
【手続補正４】
【補正対象書類名】明細書
【補正対象項目名】００１６
【補正方法】変更
【補正の内容】
【００１６】
本発明に係る請求項２の発明は、操作ポールを進行方向に固定し、横方向に可動となるように取り付ける取付治具を備え、前記取付治具は、操作ポールから外している状態では、操作ポールがボードの進行方向に直交する方向に傾動可能であり、操作ポールに取り付けられている状態では、ボードの進行方向に直交する方向の操作ポールの傾動を阻止するホルダを有することで、上述した課題を解決した。
この請求項２に係る人力推進ボートによれば、取付治具とホルダで操作ポールの傾動と傾動阻止を選択できる。
本発明に係る請求項３の発明は、ボードは、自身が浮力を有し、前後が上反り状に傾斜もしくは湾曲するように形成されていることで、上述した課題を解決した。
【手続補正５】
【補正対象書類名】明細書
【補正対象項目名】００１７
【補正方法】変更
【補正の内容】
【００１７】
この請求項３に係る人力推進ボートによれば、自身の浮力によってボードに対する造波抵抗、摩擦抵抗、圧力抵抗などの影響を極力抑えることができ、しかも、進行方向へのボードの沈み込みを同時に抑えることができる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】変更
【補正の内容】
【００２４】
本発明に係る請求項５の発明は、操作者は、ボード上において、左右の足がボードの進行方向に沿うように横向きに立ち、ボード上の一対のストラップに足を入れて操作ポールの前後の持ち手を両手で掴み、操作者のピッチングする動作を介して、ボードが推進することで、上述した課題を解決した。
【手続補正１１】
【補正対象書類名】明細書
【補正対象項目名】００２５
【補正方法】変更
【補正の内容】
【００２５】
この請求項５に係る人力推進ボートによれば、漕いでいる感覚を減少させながらスピードの出る、人力推進ボートを提供することができる。
【手続補正１２】
【補正対象書類名】明細書
【補正対象項目名】００２７
【補正方法】変更
【補正の内容】
【００２７】
本発明に係る請求項６の発明は、操作者のピッチングする動作は、操作者が、ボードの前側の持ち手を押し下げながら後側の持ち手を引き上げる動作と、前側の足に体重をかけながら後側の足を引き上げる動作を同時に行い、ボードの前側の押し下げとボードの後側の引き上げ行為と、ボードの後側の持ち手を押し下げながら前側の持ち手を引き上げる動作と、後側の足に体重をかけながら前側の足を引き上げる動作を同時に行い、ボードの後側の押し下げとボードの前側の引き上げ行為を、交互に連続して行うものであることで、上述した課題を解決した。
【手続補正１３】
【補正対象書類名】明細書
【補正対象項目名】００２８
【補正方法】変更
【補正の内容】
【００２８】
この請求項６に係る人力推進ボートによれば、操作者のピッチング動作による体重（重心）の往復移動（梃子の原理）によって、容易に推進力を得ることができる。
【手続補正１４】
【補正対象書類名】明細書
【補正対象項目名】００２９
【補正方法】変更
【補正の内容】
【００２９】
本発明に係る請求項７の発明は、操作者のピッチングする動作により、ボードに接続されたスケグテール部を介して水平に接続されたシャフトが上下に撓ると同時に、その先の推進板が翼のはばたき運動のように上下に揺れ動いてボードが推進することで、上述した課題を解決した。
【手続補正１５】
【補正対象書類名】明細書
【補正対象項目名】００３０
【補正方法】変更
【補正の内容】
【００３０】
この請求項７に係る人力推進ボートによれば、シャフトの撓りにより、推進板には、イルカの尾ビレを動かす際の体の動きのような現象が生じ、また、推進板には、ペンギンの翼（フリッパー）のようなはばたき運動が起こり、時速１００ｋｍを超えて泳ぐ世界最速の魚であるバショウカジキの尾ビレと同じようなしくみで推進力を増幅することができる。
【手続補正１６】
【補正対象書類名】明細書
【補正対象項目名】００３１
【補正方法】変更
【補正の内容】
【００３１】
本発明に係る請求項８の発明は、ボード下面側の推進板は、平面視で幅の広い略三日
月状に形成されていることで、上述した課題を解決した。
【手続補正１７】
【補正対象書類名】明細書
【補正対象項目名】００３２
【補正方法】変更
【補正の内容】
【００３２】
この請求項８に係る人力推進ボートによれば、推進板の面積を抑え、且つ撓りを利用
して、効率良く推進力を得ることができる。
【手続補正１８】
【補正対象書類名】明細書
【補正対象項目名】００３３
【補正方法】変更
【補正の内容】
【００３３】
本発明に係る請求項９の発明は、ボードは、連結器具を介して、縦連結もしくは横連結を可能にしていることで、上述した課題を解決した。
【手続補正１９】
【補正対象書類名】明細書
【補正対象項目名】００３４
【補正方法】変更
【補正の内容】
【００３４】
この請求項９に係る人力推進ボートによれば、複数を相互に連結することで、複数人でも一緒に漕いで楽しめる人力推進ボートを容易に提供することができる。
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】